(57)【要約】【課題】  装置の輸送時に読取センサをロックすることができる構成において、装置を大型化することなく読取センサのロックの解除を確実に行うことができる原稿読取装置を提供する。【解決手段】  原稿を載置するための原稿台と、原稿台に対して開閉可能に配された原稿押圧部と、装置本体内を移動可能に配され原稿台に載置された原稿の画像を読み取る読取センサと、読取センサと係合することにより読取センサの移動を規制する規制手段と、を備え、読取センサと規制手段とが係合した状態で輸送される構成において、原稿台に対して原稿押圧部が開かれることにより読取センサと規制手段との係合が外れ、その後原稿押圧部が閉じられても読取センサと規制手段とが係合しない。【選択図】  図８
2010093561.tif 000002
【特許請求の範囲】
【請求項１】
原稿を載置するための原稿台と、
前記原稿台に対して開閉可能に配された原稿押圧部と、
装置本体内を移動可能に配され前記原稿台に載置された原稿の画像を読み取る読取センサと、
前記読取センサと係合することにより前記読取センサの移動を規制する規制手段と、
を備え、前記読取センサと前記規制手段とが係合した状態で輸送される画像読取装置において、
前記原稿台に対して前記原稿押圧部が開かれることにより前記読取センサと前記規制手段との係合が外れ、その後、前記原稿押圧部が閉じられても前記読取センサと前記規制手段とが係合しないことを特徴とする画像読取装置。
【請求項２】
前記規制手段の一部が前記読取センサの凹部と係合することにより、前記読取センサの移動を規制することを特徴とする請求項１に記載の画像読取装置。
【請求項３】
前記原稿押圧部に回動可能に配されたレバー部材が前記規制手段を押圧することにより、前記読取センサと前記規制手段とが係合することを特徴とする請求項１または２に記載の画像読取装置。
【請求項４】
前記原稿台を支持するカバー部材に配された穴に前記レバー部材は挿入されることを特徴とする請求項３に記載の画像読取装置。
【請求項５】
前記原稿台に対して前記原稿押圧部を開くことにより、前記穴から前記レバー部材は外れることを特徴とする請求項４に記載の画像読取装置。
【請求項６】
前記原稿台に対して前記原稿押圧部を開くと、前記レバー部材は前記原稿押圧部に収納されることを特徴とする請求項５に記載の画像読取装置。
【請求項７】
前記読取センサは、読取領域内で前記規制手段と係合することを特徴とする請求項１ないし６のいずれか１項に記載の画像読取装置。
【請求項８】
記録ヘッドにより被記録媒体に画像を記録する記録部と、
原稿を載置するための原稿台と、
前記原稿台に対して開閉可能に配された原稿押圧部と、
装置本体内を移動可能に配され前記原稿台に載置された原稿の画像を読み取る読取センサと、
前記読取センサと係合することにより前記読取センサの移動を規制する規制手段と、
を備え、前記読取センサと前記規制手段とが係合した状態で輸送される画像読取記録装置において、
前記原稿台に対して前記原稿押圧部が開かれることにより前記読取センサと前記規制手段との係合が外れ、その後、前記原稿押圧部が閉じられても前記読取センサと前記規制手段とが係合しないことを特徴とする画像読取記録装置。
【発明の詳細な説明】
【技術分野】
【０００１】
本発明は、読取センサを移動させて原稿台に載置された原稿の画像を読み取る画像読取装置に関し、詳しくは、読取センサの移動を規制する規制手段を備える画像読取装置に関する。
【背景技術】
【０００２】
従来から、画像読取装置を備える複写機、ファクシミリ、スキャナ等において、読取センサを移動させて原稿台に載置された原稿の画像を読み取る構成がある。読取センサを移動させる構成においては、装置の輸送時に読取センサが装置内で移動してしまうことにより装置が破壊することを防止すべく、読取センサを装置内で固定する構成がとられていた。読取センサを装置内で固定する構成においては、使用時に読取センサの固定を解除する構成が別途必要であった。
【０００３】
特許文献１には、筐体の表面に操作レバーを操作可能に設け、スキャナキャリッジの係止溝と操作レバーの係止突起が係合することによりスキャナキャリッジを固定位置に固定する構成が記載されている。
【０００４】
特許文献２には、原稿走査領域外にロック部材を備え、装置を他の場所へ移動する場合には、第１ミラー台を原稿走査領域外へ移動させロック部材により移動を規制することが記載されている。また、装置を使用可能な状態にするには、原稿圧板を持ち上げることによりロック部材から第１ミラー台の突起が外れることにより、第１ミラー台が移動可能となることが記載されている。
【特許文献１】特開２００７−７９３７５号公報
【特許文献２】特開２００２−２１４７２０号公報
【発明の開示】
【発明が解決しようとする課題】
【０００５】
しかしながら、特許文献１に記載された構成では、スキャナキャリッジの固定の解除を使用者が行わなければならず、使用者が解除することを忘れるとスキャナキャリッジが移動することができないという課題があった。また、使用者が装置に対して動作指令を出してもスキャナキャリッジが移動しないため、装置の故障と勘違いするという課題があった。
【０００６】
また、特許文献２に記載された構成では、原稿圧板を持ち上げることによりロック部材から第１ミラー台の突起が外れることにより、第１ミラー台が移動可能となるため、使用者が第１ミラー台のロックを解除し忘れるということはない。しかしながら、第１ミラー台をロックするために原稿走査領域外にロック部材を備えており、装置本体が大型化するという課題があった。
【０００７】
このような事情に鑑みて、本発明の目的は、装置の輸送時に読取センサをロックすることができる構成において、装置を大型化することなく読取センサのロックの解除を確実に行うことができる原稿読取装置を提供することである。
【課題を解決するための手段】
【０００８】
本発明は、上記目的を達成するため、原稿を載置するための原稿台と、前記原稿台に対して開閉可能に配された原稿押圧部と、装置本体内を移動可能に配され前記原稿台に載置された原稿の画像を読み取る読取センサと、前記読取センサと係合することにより前記読取センサの移動を規制する規制手段と、を備え、前記読取センサと前記規制手段とが係合した状態で輸送される画像読取装置において、前記原稿台に対して前記原稿押圧部が開かれることにより前記読取センサと前記規制手段との係合が外れ、その後、前記原稿押圧部が閉じられても前記読取センサと前記規制手段とが係合しないこと特徴とする。
【発明の効果】
【０００９】
本発明によれば、装置の輸送時に読取センサをロックすることができる構成において、装置を大型化することなく読取センサのロック解除を確実に行うことができる原稿読取装置を提供することができる。
【発明を実施するための最良の形態】
【００１０】
以下、図面を参照して本発明の実施形態を具体的に説明する。なお、各図面を通して同一符号は同一又は対応部分を示すものである。
【００１１】
図１は本発明の実施形態に係る画像読取記録装置を上方から見た斜視図である。図２は画像読取記録装置の斜視図である。
【００１２】
画像読取記録装置１００は、原稿の画像を読み取る画像読取装置と、被記録媒体に記録を行う記録装置と、が一体となった構成を有している。画像読取記録装置１００において、１０１は記録装置で記録が行われる被記録媒体を積載する給送トレイ、１０２は装置前面から着脱自在に配され、被記録媒体を積載する給送カセット、１０３は記録装置で記録が行われた被記録媒体を積載する排紙トレイである。また、７０は原稿の画像を読み取るための原稿読取部である。６０は原稿読取部７０に対して開閉可能に配された原稿押圧部である。５０は原稿押圧部６０に対して回動可能に配されたグラフィックユーザーインターフェースとしての液晶画面である。液晶画面５０と対向する位置には装置本体を起動するための電源スイッチボタン５１等が配されている。
【００１３】
次に、画像読取記録装置１００の動作について説明する。給紙トレイ１０１または給送カセット１０３に積載された被記録媒体が給送手段、搬送手段によって、記録部まで搬送される。記録部まで搬送された被記録媒体に対して、搬送部による被記録媒体の間欠搬送と、記録ヘッドを搭載したキャリッジの往復移動および記録ヘッドからのインク吐出と、を繰り返すことにより被記録媒体上に画像が記録される。記録が行われた被記録媒体は排紙手段によって排紙トレイ１０２上に排出される。被記録媒体に記録を行うための記録データは、ＰＣを介して画像読取記録装置に入力される。または、画像データが記録されたメディアを画像読取記録装置につないだり、デジタルカメラを直接つなげることで入力するようにしてもよい。さらに、画像読取記録装置の画像読取装置で原稿を読み取った画像データを記録装置で被記録媒体に記録する構成としてもよい。
【００１４】
画像読取装置は、原稿読取装置と原稿押圧部とを備える。図３は、原稿読取装置の斜視図である。７１は原稿を載置するための原稿台（原稿ガラス）、７３は後述する読取センサが移動する領域である原稿読取ボックス、７２は原稿読取ボックス７３を覆うとともに原稿台７１の載置面が開口した原稿読取カバーである。原稿読取カバー７２はカバー部材である。
【００１５】
図４は、原稿読取装置の内部を示す斜視図である。図３に示す原稿読取装置から、原稿台７１と原稿読取カバー７２を外したものである。図４において、原稿読取ボックス７３には図中矢印Ａ方向に伸びるシャフト７６が配されている。７５は、原稿に光を投影し、その反射光を結像して電気信号に変換する読取センサである。読取センサ７５はシャフト７６と嵌合して案内され、装置本体内を図中矢印Ａ方向に移動可能である。７７はベルトであり、不図示のモータの駆動を読取センサ７５に伝達する。
【００１６】
上記構成において、読取センサ７５が図中矢印Ａ方向に移動することにより原稿台７１に載置された原稿の画像を読み取る。原稿の画像を読み取ることにより得られた画像データは、ＰＣに送信したり、記録装置で被記録媒体に記録を行うことができる。
【００１７】
次に、本発明の特徴的な構成について説明する。図５は、図４の一部を拡大して示す斜視図である。図５において、読取センサ７５は図中矢印Ａ方向に往復移動する。読取センサ７５の先端部には凹部７５ａが形成されている。原稿読取ボックス７３には、読取センサ７５の長手方向（Ａ方向と交差する方向）に移動可能な規制スライダ１が配されている。規制スライダ１は、読取センサ７５の移動を規制する規制手段である。２は、規制スライダ１を読取センサ７５から離間する方向に付勢するバネである。
【００１８】
ここで、読取センサ７５がシャフト７６に案内されて規制スライダ１と対向する位置に移動したときに、バネ２に抗して規制スライダ１を読取センサ７５に近づく方向に移動させると、規制スライダ１の先端部１ａが読取センサ７５の凹部７５ａに係合することが可能な構成となっている。先端部１ａが凹部７５ａに係合することにより、読取センサ７５の移動は規制される。
【００１９】
図６は、原稿押圧部６０を原稿押圧面側から見たときの一部拡大図である。図６において、８０は原稿台７１に載置された原稿を直接押圧する弾性部材である。弾性部材８０は、スポンジ状のシートで形成される。８１は弾性部材８０を裏面から支持し原稿を押圧する原稿カバーである。１０は、原稿カバー８１に対して回転可能に設けられたレバー部材で、バネ１１によって原稿カバー８１の凹部８１ａに収納可能に保持されている。
【００２０】
図７は、レバー部材１０にバネ１１が掛けられた状態を示す斜視図である。
【００２１】
次に、本発明の読取センサの移動方向の位置の規制と解除について具体的な動作を説明する。
【００２２】
図８は、原稿読取装置７０と原稿押圧部６０とを含む画像読取装置の輸送前の状態を示す側面図である。ここで、輸送前とは具体的には工場出荷前が含まれる。原稿押圧部６０は原稿読取装置７０に対してヒンジ８５により回動可能に保持されている。原稿押圧部６０は、ヒンジの中心８５ａを中心として原稿読取装置７０に対して回動することができる。画像読取装置を工場から出荷する前に、原稿押圧部６０を図中矢印Ｂ方向に回動させながら原稿カバー８１に取り付けられたレバー部材１０をバネ１１に抗して回転させ画像読取カバー７２に設けられた穴７２ａに挿入する。レバー部材１０の一部が穴７２ａに挿入された状態で、さらに原稿押圧部６０を図中矢印Ｂ方向に回動させて閉じると、レバー部材１０の先端は規制スライダ１の斜面部１ｂと摺動する。さらに、レバー部材１０は、画像読取ボックス７３に配された斜面部７３ａと当接することにより回動しながら画像読取ボックス７３の所定の位置にはまり込む。このレバー部材１０に押されることにより、規制スライダ１はバネ２に抗して読取センサ７５に近づく方向に移動させられる。
【００２３】
図９は、原稿押圧部６０が原稿読取装置７０に完全に閉じられた状態を示す側面図である。レバー部材１０の先端部により規制スライダ１は所定量移動させられる。そして、レバー部材１０の先端部１０ａは読取センサ７５の凹部７５ａに係合し、読取センサ７５の移動は規制される。この状態で、画像読取装置は工場から出荷される。そのため、工場から出荷されて輸送されている間に、読取センサ７５が装置内で動いて装置を破壊したりすることがない。また、後述するように、工場出荷のときのみならず、製品の輸送時にレバー部材１０と読取センサ７５とを係合させて、読取センサ７５の移動を規制することができる。
【００２４】
図１０は、製品の着荷時に使用者が画像読取装置を初めて作業するときの状態を示す側面図である。具体的には、初めて原稿読取装置７０に対して原稿押圧部６０を開くときの状態を示す側面図である。原稿読取装置７０に対して原稿押圧部６０を図中矢印Ｃ方向に回動させると、画像読取カバー７２の穴７２ａからレバー部材１０が抜ける。レバー部材１０が抜けることにより、レバー部材１０と読取センサ７５との係合が外れ、読取センサ７５の移動の規制が解除される。これにより、読取センサ７５はシャフト７６に案内されて移動することができるようになる。
【００２５】
図１１は、原稿押圧部６０が原稿読取装置７０に対して完全に開かれた状態を示す側面図である。レバー部材１０はバネ１１によって図中矢印Ｄ方向に回動し、原稿カバー８１の凹部８１ａに収納される。
【００２６】
図１２は、原稿押圧部６０が原稿読取装置７０に対して一旦開かれた後に閉じられた状態を示す側面図である。このとき、レバー部材１０は、原稿カバー８１の凹部に８１ａに収納されているため画像読取カバー７２の穴７２ａに入り込むことはない。そのため、読取センサ７５の移動を規制することはない。
【００２７】
本実施形態によれば、製品が着荷して原稿読取装置７０に対して原稿押圧部６０を開くことにより読取センサ７５の移動規制を解除することができる。また、一旦読取センサ７５の移動規制を解除した後は、読取センサ７５はその移動を規制されることがない。そのため、読取センサ７５の移動の規制を読取センサ７５の読取領域内で行うことができる。
【００２８】
なお、工場から出荷するとき以外で製品を輸送するときにも、読取センサ７５の移動を規制する状態とすることができる。すなわち、原稿カバー８１の凹部８１ａに収納されているレバー部材１０の先端部１０ａを引き上げ、画像読取カバー７２の穴７２ａに挿入することにより、レバー部材１０と読取センサ７５とを係合させて読取センサ７５の移動を規制した状態とすることができる。
【図面の簡単な説明】
【００２９】
【図１】本発明の実施形態に係る画像読取記録装置を上方から見た斜視図である。
【図２】画像読取記録装置の斜視図である。
【図３】原稿読取装置の斜視図である。
【図４】原稿読取装置の内部を示す斜視図である。
【図５】図４の一部を拡大して示す斜視図である。
【図６】原稿押圧部６０を原稿押圧面側から見たときの一部拡大図である。
【図７】レバー部材１０にバネ１１が掛けられた状態を示す斜視図である。
【図８】原稿読取装置７０と原稿押圧部６０とを含む画像読取装置の輸送前の状態を示す側面図である。
【図９】原稿押圧部６０が原稿読取装置７０に完全に閉じられた状態を示す側面図である。
【図１０】製品の着荷時に使用者が画像読取装置を初めて作業するときの状態を示す側面図である。
【図１１】原稿押圧部６０が原稿読取装置７０に対して完全に開かれた状態を示す側面図である。
【図１２】原稿押圧部６０が原稿読取装置７０に対して一旦開かれた後に閉じられた状態を示す側面図である。
【符号の説明】
【００３０】
１  規制スライダ
１０  レバー部材
６０  原稿押圧部
７０  原稿読取装置
７１  原稿台
７２  画像読取カバー
７３  画像読取ボックス
７５  読取センサ
８０  弾性部材
８１  原稿カバー
１００  画像読取記録装置
【図１】
2010093561.tif 000003
【図２】
2010093561.tif 000004
【図３】
2010093561.tif 000005
【図４】
2010093561.tif 000006
【図５】
2010093561.tif 000007
【図６】
2010093561.tif 000008
【図７】
2010093561.tif 000009
【図８】
2010093561.tif 000010
【図９】
2010093561.tif 000011
【図１０】
2010093561.tif 000012
【図１１】
2010093561.tif 000013
【図１２】
2010093561.tif 000014